【手続補正書】
【提出日】平成25年8月14日(2013.8.14)
【手続補正１】
【補正対象書類名】明細書
【補正対象項目名】００５３
【補正方法】変更
【補正の内容】
【００５３】
次に、これらのテーブルに保存されたデータを用いて実行される、図５の電子メール中継処理について説明を行う。
進捗状況提示装置１００は、図４のＬＡＮカード１００ｆで電子メールを販売者側端末装置３０１又は購入者側端末装置３０２から受信すると、電子メール中継処理の実行を開始する。
【手続補正２】
【補正対象書類名】特許請求の範囲
【補正対象項目名】全文
【補正方法】変更
【補正の内容】
【特許請求の範囲】
【請求項１】
商品の取引を行う販売者から購入者宛に送信される電子メールを取得する取得部、
前記取得された電子メールの本文を所定の文字列照合パターンと照合することにより、前記取得された電子メールから、前記取引を識別する識別情報と、前記取引の進捗を表す進捗情報と、を抽出する抽出部、
前記購入者に対して、前記抽出された進捗情報を、前記抽出された識別情報毎に整理して提示する提示部、
前記抽出部が前記識別情報若しくは前記進捗情報を抽出できない場合に、前記販売者に対して警告を行う警告部、を備える、
ことを特徴とする進捗状況提示装置。
【請求項２】
商品の取引を行う販売者から購入者宛に送信される電子メールを取得する取得部、
前記取得された電子メールから、前記取引を識別する識別情報と、前記取引の進捗を表す進捗情報と、を抽出する抽出部、
前記購入者に対して、前記抽出された進捗情報を、前記抽出された識別情報毎に整理して提示する提示部、を備え、
前記提示部は、前記抽出された識別情報毎に、抽出元の電子メールの取得日時順若しくは当該電子メールの送信日時順に整理された進捗情報の遷移パターンが所定の進捗状況遷移パターンにマッチしなければ、当該識別情報及び当該識別情報に対応するいずれかの進捗状況のうちいずれか１つ以上を強調して提示する、
ことを特徴とする進捗状況提示装置。
【請求項３】
商品の取引を行う販売者から購入者宛に送信される電子メールを取得する取得部、
前記取得された電子メールから、前記取引を識別する識別情報と、前記取引の進捗を表す進捗情報と、を抽出する抽出部、
前記購入者に対して、前記抽出された進捗情報を、前記抽出された識別情報毎に整理して提示する提示部、を備え、
前記提示部は、前記抽出された進捗情報を、前記抽出された識別情報毎に、当該進捗情報の抽出元の電子メールの取得日時順若しくは当該電子メールの送信日時順に並べて提示し、かつ前記並べられた進捗情報同士の取得日時若しくは送信日時の間隔を、当該間隔を示す情報により、又は、当該進捗情報同士の位置関係に反映させて提示する、
ことを特徴とする進捗状況提示装置。
【請求項４】
商品の取引を行う販売者から購入者宛に送信される電子メールの作成を、取引を識別する識別情報と取引の進捗を表す進捗情報とが該電子メールに含まれるように支援する支援部、
前記作成を支援された電子メールに含まれる識別情報と進捗情報とを対応付けて記憶する記憶部、
前記記憶部を参照し、前記購入者に対して、前記取引の進捗を、前記取引毎に整理して提示する提示部、を備える、
ことを特徴とする進捗状況提示装置。
【請求項５】
請求項４に記載の進捗状況提示装置であって、
前記作成を支援された電子メールを取得する取得部、
前記取得された電子メールから、前記取引を識別する識別情報と、前記取引の進捗を表す進捗情報と、を抽出する抽出部、をさらに備え、
前記提示部は、前記購入者に対して、前記抽出された進捗情報を、前記抽出された識別情報毎に整理して提示する、
ことを特徴とする進捗状況提示装置。
【請求項６】
請求項２、３、及び５のいずれか一項に記載の進捗状況提示装置であって、
前記抽出部は、前記取得された電子メールの本文を、所定の文字列照合パターンと照合することにより、前記識別情報並びに前記進捗情報を抽出し、
前記抽出部が前記識別情報若しくは前記進捗情報を抽出できない場合に、前記販売者に対して警告を行う警告部、をさらに備える、
ことを特徴とする進捗状況提示装置。
【請求項７】
請求項１、３、及び５のいずれか一項に記載の進捗状況提示装置であって、
前記提示部は、前記抽出された識別情報毎に、抽出元の電子メールの取得日時順若しくは当該電子メールの送信日時順に整理された進捗情報の遷移パターンが所定の進捗状況遷移パターンにマッチしなければ、当該識別情報及び当該識別情報に対応するいずれかの進捗状況のうちいずれか１つ以上を強調して提示する、
ことを特徴とする進捗状況提示装置。
【請求項８】
請求項１、２、及び５のいずれか一項に記載の進捗状況提示装置であって、
前記提示部は、前記抽出された進捗情報を、前記抽出された識別情報毎に、当該進捗情報の抽出元の電子メールの取得日時順若しくは当該電子メールの送信日時順に並べて提示する、
ことを特徴とする進捗状況提示装置。
【請求項９】
請求項８に記載の進捗状況提示装置であって、
前記提示部は、前記並べられた進捗情報同士の取得日時若しくは送信日時の間隔を、当該間隔を示す情報により、又は、当該進捗情報同士の位置関係に反映させて提示する、
ことを特徴とする進捗状況提示装置。
【請求項１０】
請求項１、２、及び５のいずれか一項に記載の進捗状況提示装置であって、
前記提示部は、前記抽出された進捗情報の内当該進捗情報の抽出元の電子メールの取得日時順若しくは当該電子メールの送信日時順において最新の進捗情報を前記抽出された識別情報毎に特定し、前記購入者に対して、当該特定された進捗情報毎に、当該特定された進捗情報に対応する識別情報及び当該識別情報の件数の少なくともいずれかを提示する、
ことを特徴とする進捗状況提示装置。
【請求項１１】
請求項１、２、及び５のいずれか一項に記載の進捗状況提示装置であって、
前記提示部は、前記抽出された識別情報毎に、前記抽出された進捗情報の内、当該進捗情報の抽出元の電子メールの取得日時順若しくは当該電子メールの送信日時順において新しいほうから順に所定の個数の進捗情報を提示する、
ことを特徴とする進捗状況提示装置。
【請求項１２】
請求項１から１１のいずれか一項に記載の進捗状況提示装置であって、
前記取得部は、前記取得された電子メールを、当該電子メールに指定されている宛先へ転送する、
ことを特徴とする進捗状況提示装置。
【請求項１３】
コンピュータを、
商品の取引を行う販売者から購入者宛に送信される電子メールを取得する取得部、
前記取得された電子メールの本文を所定の文字列照合パターンと照合することにより、前記取得された電子メールから、前記取引を識別する識別情報と、前記取引の進捗を表す進捗情報と、を抽出する抽出部、
前記購入者に対して、前記抽出された進捗情報を、前記抽出された識別情報毎に整理して提示する提示部、
前記抽出部が前記識別情報若しくは前記進捗情報を抽出できない場合に、前記販売者に対して警告を行う警告部、として機能させる、
ことを特徴とする進捗状況提示プログラム。
【請求項１４】
コンピュータを、
商品の取引を行う販売者から購入者宛に送信される電子メールを取得する取得部、
前記取得された電子メールから、前記取引を識別する識別情報と、前記取引の進捗を表す進捗情報と、を抽出する抽出部、
前記購入者に対して、前記抽出された進捗情報を、前記抽出された識別情報毎に整理して提示する提示部、として機能させ、
前記提示部は、前記抽出された識別情報毎に、抽出元の電子メールの取得日時順若しくは当該電子メールの送信日時順に整理された進捗情報の遷移パターンが所定の進捗状況遷移パターンにマッチしなければ、当該識別情報及び当該識別情報に対応するいずれかの進捗状況のうちいずれか１つ以上を強調して提示する、
ことを特徴とする進捗状況提示プログラム。
【請求項１５】
コンピュータを、
商品の取引を行う販売者から購入者宛に送信される電子メールを取得する取得部、
前記取得された電子メールから、前記取引を識別する識別情報と、前記取引の進捗を表す進捗情報と、を抽出する抽出部、
前記購入者に対して、前記抽出された進捗情報を、前記抽出された識別情報毎に整理して提示する提示部、として機能させ、
前記提示部は、前記抽出された進捗情報を、前記抽出された識別情報毎に、当該進捗情報の抽出元の電子メールの取得日時順若しくは当該電子メールの送信日時順に並べて提示し、かつ前記並べられた進捗情報同士の取得日時若しくは送信日時の間隔を、当該間隔を示す情報により、又は、当該進捗情報同士の位置関係に反映させて提示する、
ことを特徴とする進捗状況提示プログラム。
【請求項１６】
コンピュータを、
商品の取引を行う販売者から購入者宛に送信される電子メールの作成を、取引を識別する識別情報と取引の進捗を表す進捗情報とが該電子メールに含まれるように支援する支援部、
前記作成を支援された電子メールに含まれる識別情報と進捗情報とを対応付けて記憶する記憶部、
前記記憶部を参照し、前記購入者に対して、前記取引の進捗を、前記取引毎に整理して提示する提示部、として機能させる、
ことを特徴とする進捗状況提示プログラム。
【請求項１７】
取得部、抽出部、提示部、及び警告部を備える進捗状況提示装置が実行する方法であって、
前記取得部が、商品の取引を行う販売者から購入者宛に送信される電子メールを取得する取得ステップ、
前記抽出部が、前記取得された電子メールの本文を所定の文字列照合パターンと照合することにより、前記取得された電子メールから、前記取引を識別する識別情報と、前記取引の進捗を表す進捗情報と、を抽出する抽出ステップ、
前記提示部が、前記購入者に対して、前記抽出された進捗情報を、前記抽出された識別情報毎に整理して提示する提示ステップ、
前記抽出部が前記抽出ステップで前記識別情報若しくは前記進捗情報を抽出できない場合に、前記警告部が前記販売者に対して警告を行う警告ステップ、を有する、
ことを特徴とする進捗状況提示方法。
【請求項１８】
取得部、抽出部、及び提示部を備える進捗状況提示装置が実行する方法であって、
前記取得部が、商品の取引を行う販売者から購入者宛に送信される電子メールを取得する取得ステップ、
前記抽出部が、前記取得された電子メールから、前記取引を識別する識別情報と、前記取引の進捗を表す進捗情報と、を抽出する抽出ステップ、
前記提示部が、前記購入者に対して、前記抽出された進捗情報を、前記抽出された識別情報毎に整理して提示する提示ステップ、を有し、
前記提示ステップでは、前記提示部は、前記抽出された識別情報毎に、抽出元の電子メールの取得日時順若しくは当該電子メールの送信日時順に整理された進捗情報の遷移パターンが所定の進捗状況遷移パターンにマッチしなければ、当該識別情報及び当該識別情報に対応するいずれかの進捗状況のうちいずれか１つ以上を強調して提示する、
ことを特徴とする進捗状況提示方法。
【請求項１９】
取得部、抽出部、及び提示部を備える進捗状況提示装置が実行する方法であって、
前記取得部が、商品の取引を行う販売者から購入者宛に送信される電子メールを取得する取得ステップ、
前記抽出部が、前記取得された電子メールから、前記取引を識別する識別情報と、前記取引の進捗を表す進捗情報と、を抽出する抽出ステップ、
前記提示部が、前記購入者に対して、前記抽出された進捗情報を、前記抽出された識別情報毎に整理して提示する提示ステップ、を有し、
前記提示ステップでは、前記提示部は、前記抽出された進捗情報を、前記抽出された識別情報毎に、当該進捗情報の抽出元の電子メールの取得日時順若しくは当該電子メールの送信日時順に並べて提示し、かつ前記並べられた進捗情報同士の取得日時若しくは送信日時の間隔を、当該間隔を示す情報により、又は、当該進捗情報同士の位置関係に反映させて提示する、
ことを特徴とする進捗状況提示方法。
【請求項２０】
支援部、記憶部、及び提示部を備える進捗状況提示装置が実行する方法であって、
前記支援部が、商品の取引を行う販売者から購入者宛に送信される電子メールの作成を、取引を識別する識別情報と取引の進捗を表す進捗情報とが該電子メールに含まれるように支援する支援ステップ、
前記記憶部が、前記作成を支援された電子メールに含まれる識別情報と進捗情報とを対応付けて記憶する記憶ステップ、
前記提示部が、前記記憶部を参照し、前記購入者に対して、前記取引の進捗を、前記取引毎に整理して提示する提示ステップ、を有する、
ことを特徴とする進捗状況提示方法。